(57)【要約】【課題】迅速に着席することができるだけでなく、他の出席者を容易に確認することができる配席帳を提供する点にある。【解決手段】表表紙１及び裏表紙２をそれぞれの綴じ代１Ｈ，２Ｈとの境界部に形成した折り曲げ部４，５を中心として開閉自在に構成してなる表紙６を設け、披露宴会場のテーブル配置図８Ａ及び各テーブル席毎の出席者名が記載された配席表８Ｂ，８Ｃ，８Ｄを表紙６に備えさせた綴じ込み手段７にて綴じ込んでなり、綴じ込み手段７が、配席用紙８Ｂ，８Ｃ，８Ｄに形成された綴じ込み孔８Ｋに差し込んで仮止めするための仮止め具１５と、仮止め具１５にて仮止めされた配席用紙８Ｂ，８Ｃ，８Ｄを仮止め具１５と共に表紙６の裏面に接着剤にて固定するために表紙６の裏面に備えさせた接着層１６とからなっている。【選択図】　　図２
2004066615.tif 000002
【特許請求の範囲】
【請求項１】
綴じ代をそれぞれ備えた表表紙及び裏表紙を該綴じ代との境界部に形成した折り曲げ部を中心として内向きに閉じた姿勢と少なくとも一方を外向きに開いた姿勢とに開閉自在に構成してなる表紙を設け、披露宴会場又はパーティ会場のテーブル配置図及び各テーブル席毎の出席者名が記載された配席表を前記表紙に備えさせた綴じ込み手段にて綴じ込んでなり、前記綴じ込み手段が、前記テーブル配置図及び配席表に形成された綴じ込み孔に差し込んで仮止めするために前記表表紙側の綴じ代及び裏表紙側の綴じ代のうちの一方の綴じ代の内側に備えさせた可塑性材料でなる薄板状の仮止め具と、前記仮止め具にて仮止めされたテーブル配置図及び配席表を該仮止め具と共に前記表表紙側の綴じ代及び裏表紙側の綴じ代のうちの他方の綴じ代の内側に接着剤にて固定するために該他方の綴じ代の内側に備えさせた接着層とからなる配席帳。
【請求項２】
前記仮止め具が、針金に合成樹脂又は金属を被覆したものでなる請求項１記載の配席帳。
【請求項３】
前記接着層の表面に剥離可能な剥離紙を備えさせ、この剥離紙を剥がしてから接着層を備える綴じ代を前記テーブル配置図及び配席表を仮止めした仮止め具側へ押し付けることにより製本してなる請求項１記載の配席帳。
【請求項４】
前記テーブル配置図及び配席表の他に、写真を貼り付けることができる用紙又は写真を差し込んで保持可能な写真保持体を前記綴じ込み手段にて綴じ込み自在に構成してなる請求項１記載の配席帳。
【発明の詳細な説明】
【０００１】
【発明の属する技術分野】
本発明は、結婚披露宴会場やパーティ会場で指定された席に迅速に着くために使用される配席帳に関する。
【０００２】
【従来の技術】
結婚式の披露宴会場やパーティ会場では、例えば出席者が会場前に設けられた受付に備え付けられた出席者名簿に名前を記帳し、受付者から会場内の着席予定のテーブルの位置を聞いて確認してから、そのテーブルの位置まで移動し、テーブル上に立てられた名前を記した席札を確認して着席するようにしている。
【０００３】
上記のように着席予定のテーブルを他のテーブルと勘違いした場合等は、受付に行って着席予定のテーブルを再度確認しなければならず、着席までの時間が多くかかる不都合があった。尚、前記のように着席予定のテーブルを勘違いしてしまう理由としては、前記受付での受付者からの着席予定のテーブルの位置の説明が、受付者によって分かり易かったり分かりにくい場合や、テーブル数が非常に多い場合等が挙げられる。
又、出席している他の出席者名や出席者のテーブルの位置を容易に確認することができず、不便なものであった。
【０００４】
【発明が解決しようとする課題】
本発明が前述の状況に鑑み、解決しようとするところは、迅速に着席することができるだけでなく、他の出席者を容易に確認することができる配席帳を提供する点にある。
【０００５】
【課題を解決するための手段】
本発明の配席帳は、前述の課題解決のために、綴じ代をそれぞれ備えた表表紙及び裏表紙を該綴じ代との境界部に形成した折り曲げ部を中心として内向きに閉じた姿勢と少なくとも一方を外向きに開いた姿勢とに開閉自在に構成してなる表紙を設け、披露宴会場又はパーティ会場のテーブル配置図及び各テーブル席毎の出席者名が記載された配席表を前記表紙に備えさせた綴じ込み手段にて綴じ込んでなり、前記綴じ込み手段が、前記テーブル配置図及び配席表に形成された綴じ込み孔に差し込んで仮止めするために前記表表紙側の綴じ代及び裏表紙側の綴じ代のうちの一方の綴じ代の内側に備えさせた可塑性材料でなる薄板状の仮止め具と、前記仮止め具にて仮止めされたテーブル配置図及び配席表を該仮止め具と共に前記表表紙側の綴じ代及び裏表紙側の綴じ代のうちの他方の綴じ代の内側に接着剤にて固定するために該他方の綴じ代の内側に備えさせた接着層とからなっている。
上記のようにテーブル配置図及び配席表が綴じ込まれた配席帳を出席者に当日手渡す又は郵送等により前日までに出席者に届けることによって、出席者がその配席帳を開いて、着席予定のテーブルの位置を直ちに確認してそのテーブルへ迅速に移動することができる。着席予定のテーブルへ移動した後は、例えばテーブルに立ててある席札等により確認して着席することになる。又、前記配席帳を開いて見ることによって、全ての出席者名及びそれらの着席位置を確認することができる。特に、結婚披露宴会場で使用する配席帳である場合には、記念品として残しておくことができる。
また、表紙に備えた仮止め具と接着層を備えさせるだけで、綴じ込み孔を備えたテーブル配置図及び配席表を綴じて配席帳を構成することができる。しかも、仮止め具が、外力を加えることにより変形自在で、かつ、外力が加わるまでその変形した状態を維持する材料で構成した薄板状体でなっていることから、綴じ込み手段としてルーズリーフ方式やバインダー方式に比べて簡素な構成にすることができる。又、前記薄板状体に配席表の綴じ込み孔を差し込んでから、薄板状体を折り曲げるだけで配席表を仮止めすることができるだけでなく、折り曲げた薄板状体が、配席表から大きく突出することがないから、仮止め具と共に配席表を表紙の裏面に接着固定する場合に、接着不良が発生することがない、又は非常に少ない。
【０００６】
前記仮止め具を、針金に合成樹脂又は金属を被覆したもので構成してもよい。
【０００７】
前記接着層の表面に剥離可能な剥離紙を備えさせ、この剥離紙を剥がしてから接着層を備える綴じ代を前記テーブル配置図及び配席表を仮止めした仮止め具側へ押し付けることにより製本している。
上記のように、接着層の表面に剥離可能な剥離紙を備えさせることによって、テーブル配置図及び配席表が綴じられていない状態の表紙を多数作成しておき、これら作製された表紙の仮止め具にテーブル配置図及び配席表の綴じ込み孔を差し込んで仮止めしてから、剥離紙を剥がし、その接着層を備える綴じ代をテーブル配置図又は配席表に当て付けるだけで、製本して配席帳を構成することができる。
【０００８】
前記テーブル配置図及び配席表の他に、写真を貼り付けることができる用紙又は写真を差し込んで保持可能な写真保持体を前記綴じ込み手段にて綴じ込み自在に構成することによって、配席帳を一層価値のあるものにすることができる。
【０００９】
【発明の実施の形態】
図１に、本発明の配席帳を示している。この配席帳は、表表紙１の一端から連接される綴じ代１Ｈと裏表紙２の一端から連接される綴じ代２Ｈとが背表紙３Ｈ（綴じる枚数によっては省略してもよい）にて連結されてなり、前記表表紙１及び裏表紙２をそれぞれの綴じ代１Ｈ，２Ｈとの境界部に形成した折り曲げ部４，５を中心として内向きに閉じた姿勢（図１参照）と少なくとも一方（ここでは表表紙１であるが、裏表紙２でもよいし、両方でもよい）を外向きに開いた姿勢（図３（ａ），（ｂ）参照）とに開閉自在に構成された表紙６と、綴じ込み手段７にて綴じられたテーブル配置図８Ａ及び複数枚（場合によっては１枚でもよい）の配席表８Ｂ，８Ｃ，８Ｄとを備えている。尚、前記綴じ代１Ｈ，２Ｈ及び背表紙３Ｈを表表紙１と裏表紙２とを連結する中間部３と称するものとする。前記表表紙１の厚みを前記裏表紙２の厚みよりも厚く構成することによって、ボリューム感を持たせて配席帳としての価値を高めるようにしているが、裏表紙２とほぼ同一の厚みであってもよい。又、前記表表紙１、それの綴じ代１Ｈ、裏表紙２、それの綴じ代２Ｈ、背表紙３Ｈを単一のもので構成することによって、例えばそれらが別々に作製されて接着剤等を用いて一体化して表紙６を構成するものに比べて製作面において有利であるが、それらを別々に作製して一体化してもよい。本発明の配席帳は、特に結婚披露宴で配布されるものにおいて有効であるが、各種パーティなどで配布する場合に用いてもよい。又、前記配席帳は、会場等で直接手渡しするか、前もって郵送等により出席者に届けておいてもよい。
【００１０】
前記表紙６は、図示していない厚紙と、この厚紙の外面全体と内面の外周縁のみを覆うために厚紙に糊付けされた一枚の化粧用紙９と、前記厚紙の内面と前記化粧用紙９の一部を覆うために厚紙及び化粧用紙９の一部に糊付けされた一枚の裏紙１０とからなっているが、他の構成であってもよい。
【００１１】
前記テーブル配置図８Ａは、図３（ａ）に示すように、○○ホテルの○○の間の全てのテーブル席名（図では高砂、竹、松、雪、梅など）が記載（印刷）された紙からなり、前記各配席表８Ｂ，８Ｃ，８Ｄは、各テーブル席に着席される出席者名がテーブル席毎に記載された紙からなり、出席者は、配席表８Ｂ…の中から自分の名前を見つけだし、その配席表からテーブル名を確認した後、テーブル配置図８Ａから前記テーブル名のテーブルの位置を確認するのである。前記配席表８Ｂ，８Ｃ，８Ｄは、出席人数が少ない場合には、少ない枚数で済ませることができる。図３（ａ），（ｂ）では、テーブル配置図８Ａと配席表８Ｂ，８Ｃ，８Ｄのみを図示しているが、結婚される両家からの挨拶の言葉が記載された挨拶状や結婚披露宴次第が記載された紙、料理の献立が記載された紙、新居の案内を記載した紙等をテーブル配置図８Ａ及び配席表８Ｂ，８Ｃ，８Ｄと共に綴じておくことによって、出席者に好まれる配席帳とすることができる。尚、図２（ａ）に、前記テーブル配置図８Ａ及び配席表８Ｂ，８Ｃ，８Ｄを積み重ねて一纏めにした状態のものを符号８として示している。
又、図４に示すように、写真１１を差し込むための差し込み部１２Ａを備えた透明な合成樹脂で形成されたフィルム１２を厚紙（プラスチックでもよい）１３上に貼り付けた写真保持体１４を前記テーブル配置図８Ａ及び配席表８Ｂ，８Ｃ，８Ｄと共に綴じておけば、披露宴で写した写真を前記写真保持体１４に保持させておけば、記念に残る配席帳としての価値を高めるものにすることができる。前記写真保持体１４を合成樹脂で構成された透明なフィルム状の袋体から構成してもよい。又、前記写真保持体１４に代えて、写真１１を貼り付けることができる紙（図示していない）であってもよい。
【００１２】
前記綴じ込み手段７は、前記テーブル配置図８Ａ及び配席表８Ｂ，８Ｃ，８Ｄに形成された一組の綴じ込み孔８Ｋ，８Ｋ（１個又は３個以上でもよい）に差し込んで仮止めするために裏表紙２の綴じ代２Ｈの内側に備えさせた仮止め具１５と、この仮止め具１５にて仮止めされたテーブル配置図８Ａ及び配席表８Ｂ，８Ｃ，８Ｄを仮止め具１５と共に表表紙１の綴じ代１Ｈの内側に接着剤にて固定するために該綴じ代１Ｈの内側に備えさせた接着層１６とからなり、前記接着層１６の表面には、剥離可能な剥離紙１７が備えられている。前記仮止め具１５を表表紙１の綴じ代１Ｈに備えさせ、前記接着層１６を裏表紙２の綴じ代２Ｈに備えさせて実施することもできる。尚、前記裏表紙２の綴じ代２Ｈの内側に接着剤を備えさせ、綴じ代２Ｈと接触する綴じ込まれた紙を固定してもよいし、固定しない状態であってもよい。
【００１３】
前記仮止め具１５は、外力を加えることにより変形自在で、かつ、外力が加わるまでその変形した状態を維持する可塑性材料で構成した一枚の薄板状体（帯板状体）からなり、この薄板状体１５は、補強材としての細い針金（一本又は複数本）を合成樹脂又は金属にて被覆することによって構成されているが、他の構成であってもよい。そして、図２（ａ）に示すように、前記薄板状体１５をコの字状に折り曲げてから、前記裏表紙２の綴じ代２Ｈの内側に接着固定される直前の貼り紙１８に形成の貫通孔１８Ａ，１８Ａに該薄板状体１５の折り曲げられた両端の垂直部１５Ａ，１５Ａを差し込んだ後、貼り紙１８を裏表紙２の綴じ代２Ｈの内側に接着固定することで薄板状体１５を表紙６に固定して製本が完了することができるようにしている。
【００１４】
従って、図２（ｂ）に示すように、薄板状体１５の一対の垂直部１５Ａ，１５Ａに配席表８の綴じ込み孔８Ｋ，８Ｋを差し込む。この後、図２（ｂ）に示すように、配席表８の上面から突出する垂直部１５Ａ，１５Ａを互いに向き合う方向に折り曲げることによって、配席表８を仮止めする。そして、剥離紙１７を剥がしてから、図２（ｂ）に示すように、表表紙１を閉じることにより接着層１６を折り曲げられて水平姿勢となった垂直部１５Ａ，１５Ａとこれら周辺の配席表８表面に接触させて表紙６の裏面に配席表８の一部及び水平姿勢となった垂直部１５Ａ，１５Ａを接着固定している。図２（ａ）で示した剥離紙１７を省略して実施することもできる。この場合、配席表８を表紙６に綴じる際に接着層１６を表紙６に備えさせることになる。前記のように薄板状体１５とすることによって、表紙６に配席表８を薄板状体１５と共に接着固定する場合に、帯状の薄板状体１５との接着面積をある程度確保することができるだけでなく、薄板状体１５が介在する表紙６と配席表８との間の接着を良好に行うことができる利点がある。尚、前記表紙６に薄板状体１５が入り込む凹部を形成しておけば、表紙６と配席表８との接着力を更に高めることができ、剥がれが発生することを回避することができる。
【００１５】
【発明の効果】
請求項１の発明によれば、テーブル配置図及び配席表が綴じ込まれた配席帳を出席者に当日手渡す又は郵送等により前日までに出席者に届けることによって、会場内で出席者がその配席帳を開いて、着席予定のテーブルの位置を直ちに確認してそのテーブルへ迅速に移動して着席することができるだけでなく、配席帳を開いて見ることによって、全ての出席者名及びそれらの着席位置を確認することができる便利な配席帳を提供することができる。特に、結婚披露宴会場で使用する配席帳である場合には、記念品として残しておくことができる。
また、表紙に備えた仮止め具と接着層を備えさせるだけで、綴じ込み孔を備えた配席表を綴じて配席帳を構成することができるから、綴じ込み手段としてルーズリーフ方式やバインダー方式に比べて簡素な構成にすることができ、特に会場毎に内容（会場名やテーブル名等）や出席者名が変わる配席帳にとってコスト面において有利になり、配席帳の利用を促進することができる。
【００１６】
請求項２の発明によれば、仮止め具を、針金に合成樹脂又は金属を被覆した安価なもので構成することによって、配席帳のより一層のコストダウンを図ることができる。
【００１７】
請求項３の発明によれば、接着層の表面に剥離可能な剥離紙を備えさせることによって、配席表が綴じられていない状態の表紙を多数作成しておき、テーブル配置図及び配席表を綴じる作業を行うだけで、配席帳を製本することができ、例えば配席帳の大量発注を受けても容易に対応することができる等、配席帳を製本する作業面において有利になる。
【００１８】
請求項４の発明によれば、テーブル配置図及び配席表の他に、写真を貼り付けることができる用紙又は写真を差し込んで保持可能な写真保持体を綴じ込み手段にて綴じ込み自在に構成することによって、配席帳を一層価値のある魅力あるものにすることができ、配席帳の利用促進を更に図ることができる。
【図面の簡単な説明】
【図１】配席帳の斜視図
【図２】配席帳の製作過程を示す説明図であり、（ａ）は配席表を仮止め具に差し込む直前の状態を示し、（ｂ）は表表紙を閉じて配席表を表紙に接着固定する状態を示している。
【図３】（ａ），（ｂ）は特定のページを開いた状態を示す配席帳の斜視図である。
【図４】配席表以外のものを綴じる直前の配席帳の分解斜視図である。
【符号の説明】
１　表表紙　　　　　１Ｈ　綴じ代
２　裏表紙　　　　　２Ｈ　綴じ代
３　中間部　　　　　３Ｈ　背表紙
４，５折り曲げ部
６　表紙　　　　　　７　綴じ込み手段
８Ａ　テーブル配置図
８Ｂ，８Ｃ，８Ｄ　配席表
８Ｋ　綴じ込み孔
９　化粧用紙　　　　１０　裏紙
１１　写真　　　　　１２　フィルム
１２Ａ　差し込み部　１３　用紙
１３Ｋ　綴じ込み孔　１４　写真保持体
１５　仮止め具（薄板状体）
１５Ａ　垂直部
１６　接着層　　　　１７　剥離紙
１８　紙　　　　　　１８Ａ　貫通孔
【図１】
2004066615.tif 000003
【図２】
2004066615.tif 000004
【図３】
2004066615.tif 000005
【図４】
2004066615.tif 000006